Podtech/llm-jp-corpus-v4-ja_patent huggingface dataset:
(57)【要約】【課題】一般的なトイレットペーパー保持器に取り付けられたトイレットペーパーを使用すると、トイレットペーパーを１枚使用した後、ペーパーの端部はちょうどペーパー切断板の下に隠れてしまい、次のペーパーを使用するためにペーパー端部を引き出す動作が、困難で時間がかかり、また、ペーパー端部を引き出すときに、トイレットペーパーのペーパー端部以外の場所を触る必要があるため、次の人が使用する際に不潔であるという問題がある。【解決手段】本発明では、このような問題を解決するために、ペーパー切断板の両側に切り欠きを設けたことを特徴とし、これにより、トイレットペーパーを１枚使用した後、ペーパー端部が見えているため、次のペーパーを引き出す操作が容易になると同時に、ペーパー端部以外の場所を触らずにペーパーを引き出すことができて清潔である。【選択図】図１
2007275528.tif 000002
【特許請求の範囲】
【請求項１】
トイレットペーパーを支える芯棒（以下芯棒と略す）とトイレットペーパーに芯棒を通した状態で芯棒を支える芯棒ホルダー（以下ホルダーと略す）とトイレットペーパーを任意の位置で切断するためのトイレットペーパー切断板（以下ペーパー切断板と略す）からなるトイレットペーパー保持器において、ペーパー切断板の両側に切り欠きを設けることで、トイレットペーパーの引出しを容易に、また、トイレットペーパーを清潔に使用することができるトイレットペーパー保持器。
【発明の詳細な説明】
【技術分野】
【０００１】本発明は、トイレットペーパーを取り付けて使用するトイレットペーパー保持器に関する。
【背景技術】
【０００２】トイレットペーパーを取り付けるための、トイレに既設のトイレットペーパー保持器は、一般的に大きく分類すると、トイレットペーパーを支える芯棒と、芯棒を両端で支えるホルダー部とホルダー部に回転自在に取り付けられたペーパー切断板からなる。【０００３】トイレットペーパー保持部に取り付けられたトイレットペーパーを使用する場合、通常、１枚を使用した後、トイレットペーパーのペーパー切断板の下に隠れていない部分を直接手で回転させて、ペーパー端部を引き出すか、ペーパー切断板を一度持ち上げて、ペーパー端部を探し、そのペーパー端部を持って使用する量のペーパーを引き出し、ペーパー切断板を上から手で押えてトイレットペーパーの回転を停止させ、同時にペーパー切断板の端面に沿うようにしてペーパーを切り取り使用する。
【発明の開示】
【発明が解決しようとする課題】
【０００４】このように、一般的なトイレットペーパー保持器に取り付けられたトイレットペーパーを使用すると、トイレットペーパーを１枚使用した後、ペーパーの端部はちょうどペーパー切断板の下に隠れてしまい、次に使用するペーパーを引き出すためには、ペーパー切断板の下に隠れたペーパーの端部を手でつかみやすくするため、通常トイレットペーパーを直接手で回転させる等により、ペーパーの端部を少しだけ引き出す動作が必要となり、通常、このペーパーの端部を少しだけ引き出してつまむ動作が面倒で、トイレットペーパーを使用する際に、時間が余計にかかってしまう原因となっている。【０００５】手に障害がある人などが使用する際には、このペーパーの端部を少しだけ引き出してつまむ動作が一番の障害動作となっている。【０００６】また、ペーパーの端部を少しだけ引き出すために、トイレットペーパーを直接手で回転させる際に、直後には使用しない部分を持って回転させるため、公衆トイレなどで、次の人が使用する際には、前に使用した人が一度触ったトイレットペーパーを、次の人が使用せざるを得なくなり、不潔である。
【課題を解決するための手段】
【０００７】本発明では、このような問題を解決するために、ペーパー切断板の両側に、切り欠きを入れてあることを特徴とする。【０００８】トイレットペーパー保持器において、ペーパー切断板の両側に切り欠きが入っていると、トイレットペーパーを切断した後、ペーパー端部がペーパー切断板の下に隠れることなくペーパー切断板の切り欠き部に見えており、ペーパー端部をつまむ動作が非常に容易になる。【０００９】また、ペーパーを引き出す際に、その時に使用するペーパーの端部だけをつまんで引き出すことができるため、トイレットペーパーの他の部分に触ることなく、ペーパーを引き出すことができ、非常に清潔にトイレットペーパーを使用することができる。
【発明の効果】
【００１０】このように、トイレットペーパー保持器において、ペーパー切断板の両側に切り欠きを入れることによって、トイレットペーパーを切断した後、ペーパー端部がペーパー切断板の下に隠れることなくペーパー切断板の切り欠き部に見えており、ペーパー端部をつまむ動作が非常に容易になり、また、トイレットペーパーの他の部分に触ることなく、ペーパー端部だけをつまんで引き出すことができるため、非常に清潔に使用できるようになる。
【発明を実施するための最良の形態】
【００１１】本発明の実施形態例の構造図を図１に示す。図１からわかるように、本発明のトイレットペーパー保持器は、ペーパー切断板１の両側に切り欠きを設けたことを特徴とする。【００１２】図１からわかるように、本発明のトイレットペーパー保持器を使用すれば、トイレットペーパー４を１枚使用した後、ペーパー端部５がペーパー切断板１の下に隠れることなく見えており、次のペーパーを使用する際にペーパー端部５をつまんで引き出せば、トイレットペーパー４を引き出す操作が非常に容易になる。【００１３】また、トイレットペーパー４を１枚使用した後、次のペーパーを引き出す際に、トイレットペーパー４において、ペーパー端部５以外の場所を触ることなくペーパーを引き出すことができるため、また、その次に使用する人が、清潔に気持ちよく使用することができる。【００１４】図１において、ａ部の寸法は、一般的な人の指の幅よりも少し大きい程度が望ましく、またｂ部の寸法は、３ｃｍ以上であることが、実際に使用するうえで望ましい。
【図面の簡単な説明】
【図１】実施形態例の構造図
【符号の説明】
１・・・ペーパー切断板
２・・・ホルダー
３・・・芯棒
４・・・トイレットペーパー
５・・・ペーパー端部
【図１】
2007275528.tif 000003
(57)【要約】【課題】  撓み率の異なるアームを利用して、布団たたきの面に時間差を生じさせる、布団たたきを提供する。【解決手段】  布団たたきの握り部から、撓み率の異なる主アームと補助アームのそれぞれに、布団を叩く主布団たたき面と、補助布団たたき面を設け、スライドストッパー機構を加える。【選択図】図１
2007275526.tif 000002
【特許請求の範囲】
【請求項１】
一端部に握り部を有する主アームと、主アームの他端側に形成されたフレーム状の主布団たたき部と、前記握り部あるいは主アームに一端部が接続された補助アームと、補助アームの他端側に形成された補助布団たたき部とより構成され、主アーム及び補助アームはそれぞれ可撓性を有し撓み率の異なるものであることを特徴とする布団たたき具。
【請求項２】
補助アームの撓み位置を調整する撓み位置調整機構を具備することを特徴とする請求項１記載の布団たたき具。
【発明の詳細な説明】
【技術分野】
【０００１】  本発明は、撓み率の異なるアームそれぞれに布団たたき面を設け、叩く瞬間に時間差を生じさせることにより、叩いたときの音を小さくする。また、スライドストッパーを移動すことにより、叩く瞬間の時間を調整させる機能を持つ布団たたきに関するものである。
【背景技術】
【０００２】  従来は、１本のアームに布団たたきの面が設けられていた。
【特許文献１】  特開平９−３２２８７７
【発明の開示】
【発明が解決しようとする課題】
【０００３】  特許文献１にあっては、次のような欠点があった。
（イ）布団を瞬時に叩くため、叩く音が大きく響き渡った。
（ロ）布団に叩く力が瞬時に伝わるため、布団地を傷め易かった。
本発明は、これらの欠点を解決するためになされたものである。
【課題を解決するための手段】
【０００４】  布団たたきの握り部から、撓み率の異なる主アームと補助アームの他端側に主布団たたき面と補助布団たたき面とスライドストッパーを設ける。
本発明は以上の構成よりなる。
【発明の効果】
【０００５】  本発明を利用することで、叩く音を小さくし、布団地に合わせた叩きを可能にした。
（イ）布団たたきを振り下ろし時、撓み率の異なる布団たたきの面に、時間差が生じることにより、布団を叩く瞬間が分散される。
（ロ）布団を叩く瞬間が分散されることにより、消音効果が生じる。
（ハ）スライドストッパーの位置を変えることにより、布団たたき時の時間差を調整して、布団地に合った叩きができる。
【発明を実施するための最良の形態】
【０００６】  以下、本発明の第一実施の形態を図１から図５を利用して説明する。
本発明は、一端部に有する握り部（１）から主アーム（２）と、主アームの他端側に形成されたフレーム状の主布団たたき（３）部と、前記握り部（１）あるいは主アーム（２）に一端部が接続された補助アーム（４）と、補助アームの他端側に形成された補助布団たたき（５）部とにより構成される。
主アーム（２）及び補助アーム（４）は、プラスチックやカーボンフレーム等の可撓性素材が利用されている。主アーム（２）の一端部には、ゴムや合成樹脂による通常用いられる握り部（１）が装着されている。主アーム（２）は、握り部よりやや上部で左右のフレーム構造に分かれ、他端側で図１及び図２に示すように左右フレームから一体で、輪状の主布団たたき（３）部となっている。
補助アーム（４）は、主アームの握り部側左右フレームの付け根位置で分岐する構造となっており、先端で輪状フレーム構造の補助布団たたき（５）部となっている。
また、図３に示すように主布団たたき（３）部および補助布団たたき（５）部は、同一面に位置するようになっている。
また、主アーム（２）及び補助アーム（４）はそれぞれ可撓性を有するが、アームの太さや形状を変えることにより撓み率が異なるようになっている。あわせて、主アーム（２）及び補助アーム（４）のいずれには、図４に示すように一定間隔で突起（６）が設けられている。
また、撓み位置調整機構として、主アーム（２）及び補助アーム（４）を挟み込んで締め付けるようなスライドストッパー（７）が設けられている。スライドストッパー（７）には、前記突起と嵌合する凹（８）部が設けられている。本発明は以上の構成よりなる。
これを利用するときは、スライドストッパー（７）をアームの突起（６）との嵌合で固定される位置にあわせる。
通常、布団たたきとして使用する際は、握り手側にスライドストッパー（７）を調整して、布団や座布団などの対象物に布団たたき部があたるように叩く。この際、叩きつける動作により主アーム（２）と補助アーム（４）がそれぞれ撓み、その反動で反対側にしなって戻るが、主アーム（２）と補助アーム（４）は撓み率が異なるため、対象物にあたるタイミングがずれる。
この状態を示したのが図５である。
図５ａにおける実施例は、主アーム（２）の方が補助アーム（４）よりも撓み率が低いため先に対象物を叩く。これに対して、補助アーム（４）は撓み率が高いため主アーム（２）より撓み、その分遅れて対象物を叩く。
これにより、今までの布団たたきよりも叩き音が小さい。
また、図５ｂにおける実施例は、スライドストッパー（７）を布団たたき側にもっとも近い突起（６）に嵌合させて固定することで、主アーム（２）と補助アーム（４）のタイミングをずらすことなく、強く叩きたいものに対して瞬時に叩くことができることを示したものである。
【図面の簡単な説明】
【０００７】
【図１】本発明の斜視図である。
【図２】本発明の全体図である。
【図３】本発明の平面図である。
【図４】本発明の部分構造図である。
【図５】本発明の使用説明図である。
【図５ａ】本発明の使用説明図である。
【図５ｂ】本発明の使用説明図である。
【符号の説明】
【０００８】１．握り部
２．主アーム
３．主布団たたき
４．補助アーム
５．補助布団たたき
６．突起
７．スライドストッパー
８．凹み
【図１】
2007275526.tif 000003
【図２】
2007275526.tif 000004
【図３】
2007275526.tif 000005
【図４】
2007275526.tif 000006
【図５】
2007275526.tif 000007
(57)【要約】【課題】超音波による歯の洗浄を考えた場合、容器内に水ないしは洗浄水を溜め、容器内の壁に配置された超音波振動子の発振により内部の物品を洗浄するタイプの超音波洗浄器では、実際に生えている歯を洗浄することは不可能である。また、水ないしは洗浄水を、実際に生えている歯に流水しながら１枚の超音波振動子を歯に対向した位置で発振させて歯を洗浄するという方法であれば、洗浄は可能であるが手間と時間がかかるという問題がある。【解決手段】１つの筐体上に小型の超音波振動子を多数配置し、その筐体を、水ないしは洗浄水と一緒に口に含んだ状態で、すべての超音波振動子を筐体周囲の全方向に対して同時に発振させるだけで、手間と時間をかけずに歯の洗浄が可能となる超音波歯洗浄器を提供する。【選択図】図１
2007275527.tif 000002
【特許請求の範囲】
【請求項１】
１つの筐体上に多数配置された小型の超音波振動子とその筐体に接合された把手部と超音波振動子とケーブルで連結されている超音波振動子を発振させる発振回路と発振回路への電源の供給部からなり、超音波振動子が配置された筐体を、水ないしは洗浄水に満たされた口の中に含んだ状態で、多数配置された小型の超音波振動子が同時に筐体周囲の全方向に対して超音波振動を発振することにより、歯の洗浄を行うことができる超音波歯洗浄器。
【請求項２】
請求項１に記載の超音波歯洗浄器において、発振回路及び電源（バッテリー）を把手部内、ないしは把手部に接合された筐体内に配置したことを特徴とする超音波歯洗浄器。
【発明の詳細な説明】
【技術分野】
【０００１】本発明は、歯の洗浄を目的とした超音波洗浄器に関する。
【背景技術】
【０００２】色々な物品の洗浄を目的として、超音波洗浄器が用いられている。一般的に、物品の洗浄を目的とした超音波洗浄器の場合、容器内に水ないしは洗浄水を溜め、その中に洗浄したい物品を入れ、容器内の壁に配置された超音波振動子の発振により、容器内の物品を洗浄する。入れ歯等の洗浄もこのような方法で行われている。【０００３】また、局所的な洗浄を目的とした超音波洗浄器の場合は、水ないしは洗浄水の中で、あるいは、水ないしは洗浄水を洗浄したい物品に流水しながら、１枚の超音波振動子を洗浄したい物品に対向した位置で発振させて、目的の物品を洗浄する。【０００４】一般的に超音波洗浄の場合は、水中にある硬い物体の表面上にキャビテーションを発生させ、その効果によって洗浄し、柔らかい物体上にはキャビテーションが発生しないために、柔らかい物体には悪影響を及ぼすことがない。従って、歯の洗浄に対しては、最適な方法であるとも考えられる。
【発明の開示】
【発明が解決しようとする課題】
【０００５】このように超音波洗浄には、歯の洗浄に非常に適している特性があるが、一般的な超音波洗浄器を用いて歯の洗浄を考えた場合、容器内に水ないしは洗浄水を溜め、容器内の壁に配置された超音波振動子の発振により内部の物品を洗浄するタイプの超音波洗浄器であれば、入れ歯等の洗浄は可能だが、実際に生えている歯を洗浄することは不可能である。【０００６】水ないしは洗浄水を、実際に生えている歯に流水しながら１枚の超音波振動子を歯に対向した位置で発振させて歯を洗浄するという方法であれば、実際に生えている歯の洗浄は可能である。【０００７】しかし、この場合は、１本１本生えている歯に対してそれぞれ洗浄を行わなければならず、歯の洗浄に長時間を要することになる。また、色々な向きに生えているそれぞれの歯に対して、超音波振動子の向きをいちいち変えながら洗浄を行わなければならないため、一般の歯ブラシ洗浄同様に作業が複雑になり、手間がかかると同時に、例えば手に障害等を持って手を自由に動かせないような人が歯の洗浄を行うことができないといった問題がある。
【課題を解決するための手段】
【０００８】本発明の超音波洗浄器では、このような問題を解決するために、１つの筐体上に小型の超音波振動子を多数配置し、その超音波振動子が筐体周囲の全方向に対して超音波振動を発振させられることを特徴とする。このような洗浄器であれば、小型の超音波振動子が配置された筐体を、水ないしは洗浄水に満たされた口の中に含んで発振させるだけで歯の洗浄が可能となる。【０００９】また、この超音波洗浄器にバッテリーを内蔵すれば、歯を洗浄したい人が、好きな場所で自分の歯を洗浄することも可能になる。
【発明の効果】
【００１０】本発明の超音波洗浄器では、超音波振動子が筐体上に多数配置されており、筐体周囲の全方向に対して同時に発振するため、その筐体を水ないしは洗浄水に満たされた口の中に含んで超音波を発振させるだけですべての歯を同時に洗浄することが可能となり、非常に短時間で歯の洗浄を行うことが可能になる。【００１１】また、歯を洗浄する際に、手を動かす必要がなくなるため、歯を洗浄する手間を大幅に省くことができる。この効果によって、手に障害等を持っていて、手を自由に動かすことができない人であっても、自分一人で自分の歯を洗浄することが可能になる。
【発明を実施するための最良の形態】
【００１２】本発明の実施形態例１の構造図を図１に示す。図１からわかるように、本超音波歯洗浄器本体は、多数の超音波振動子１が配置された筐体２と筐体２に接合された把手部３から成り、各超音波振動子１は把手部３内部を貫通しているケーブル４によって、制御ボックス５内の超音波発振回路６に連結されている。図１の例では、制御ボックス５が超音波歯洗浄器本体とは別に設置されてケーブルで連結されているため、制御ボックス５内に電源基板７を持ち、電源プラグ８をコンセントに挿すことで電源を供給することができる。超音波を発振するためのスイッチ１０は、使い勝手を考えて把手部３上に配置されている。【００１３】本超音波歯洗浄器を使用する方法は、まず口の中を水ないしは洗浄水で満たし、その状態で、把手部３を手に取って、多数の超音波振動子１が配置された筐体２を口の中に挿入するようにして含み、把手部３上に配置されたスイッチを入れて超音波を発振させ、その状態でしばらく待つだけである。【００１４】本超音波歯洗浄器を使用すれば、筐体２を口の中に含んでただ待っているだけで歯の洗浄ができるので、洗浄作業が格段に容易になり、また、多数の超音波振動子１が同時に発振するので、同時にすべての歯を洗浄することができ、洗浄時間も大幅に短縮することができる。【００１５】本発明の実施形態例２の構造図を図２に示す。本実施例では、制御ボックス５が把手部３に接合されていることが特徴である。また、制御ボックス５内にバッテリー９も備えている。このような構成にすれば、実施形態例１のように電源プラグ８をコンセントに挿して使用する必要がなくなるために、本発明の超音波歯洗浄器をどこでも好きな場所で使用することが可能になる。
【図面の簡単な説明】
【図１】実施形態例１の構造図
【図２】実施形態例２の構造図
【符号の説明】
１・・・超音波振動子
２・・・（超音波振動子が多数配置された）筐体
３・・・把手部
４・・・ケーブル
５・・・制御ボックス
６・・・超音波発振回路
７・・・電源回路
８・・・電源プラグ
９・・・バッテリー
１０・・（発振ＯＮ／ＯＦＦ用）スイッチ
【図１】
2007275527.tif 000003
【図２】
2007275527.tif 000004
(57)【要約】【課題】  本考案は、頚椎部で頭部を支えるのではなく、後頭部で頭部を支える洗髪用補助具を、安価で提供する。【解決手段】    本考案は、頭部を支える支柱を安定させるために、大きめの板状の物の上に、支柱を形成する。取り外し可能とすることにより、安価で提供できる。【選択図】図１
2007275508.tif 000002
【特許請求の範囲】
【請求項１】
安全を強化するため、大きめの板の上に、頭を支える支柱となる物を、着けている形を、特徴とする、洗髪用補助具。
【請求項２】
洗髪器の縦幅を利用する方法、図５、図６．
【発明の詳細な説明】
【技術分野】
【０００１】  本発明は、頭部を支える台を、大きな板で支えた、洗髪用補助具である。
【背景技術】
【０００２】  従来、洗髪器を使用する際、頚椎部で頭を支える方法だった、最近では洗髪器の形状そのものが、後頭部で頭を支えられるように、作られている洗髪器も販売されてきた。
【発明の開示】
【発明が解決しようとする課題】
【０００３】  そのために、次のような問題点があった。
（イ）施術をしてもらう際、首が痛い
（ロ）頭に血が下がって、めまいを、おこしてしまう。
（ハ）後頭部を、支持する洗髪器も出てきたが、洗髪器そのものを、取り替える必要がある。
本発明は、これらの問題点を、解決するために、なされたものである。
【課題を解決するための手段】
【０００４】  頭を後頭部で支えるようにするため、図１のように形成し、洗髪器の横幅いっぱいに作ることにより、安定性がたもたれ、安全である。
２の部分を作ることにより、洗髪しやすくなる。
取り外し可能で、安価で提供できる。
【発明の効果】
【０００５】  頚椎を圧迫しないので、楽で安定している。
【発明を実施するための最良の形態】
【０００６】  以下、本発明の実施の形態について説明する。
洗髪器の横幅いっぱいを利用し、材質は、プラスチック、ステンレス、木材などを、図１のように形成し、洗髪器の中に置く。
【図面の簡単な説明】
【０００７】
【図１】    本発明の斜視図
【図２】    本発明の一部を切り欠いた側面図
【図３】    本発明を上から見た状態の図
【図４】    本発明の使用状態を示した図
【図５】    洗髪器の縦幅を利用した場合の使用状態
【図６】    洗髪器の縦幅を利用した場合の斜視図
【符号の説明】
【０００８】    １    本体
２    支柱
３    洗髪器
【図１】
2007275508.tif 000003
【図２】
2007275508.tif 000004
【図３】
2007275508.tif 000005
【図４】
2007275508.tif 000006
【図５】
2007275508.tif 000007
【図６】
2007275508.tif 000008
(57)【要約】      （修正有）【課題】簡易的に女性の顔と手を日焼けから守るために工夫した日よけを提供する。【解決手段】丸い柄２の黒のうちわ１の芯に、黒い和紙を貼り、さらにその上に布４を張りかざして日陰を作る。柄２の部分にスカート型の黒い布４をはかせ、持った手も日焼けから守る。黒い布４は移動できるようにゴム３を入れ、不用の場合は取り外せる。【選択図】図１
2007275516.tif 000002
【特許請求の範囲】
【請求項１】
うちわの芯に黒い布を貼り、かざして日陰を作り、さらに、持った手も日焼けから守るためのおおいを付け、ゴムを入れて不用の場合は取り外せることを特徴とする顔と手を日焼けから守る日よけである。
【発明の詳細な説明】
【技術分野】
【０００１】  本発明は、簡易的に女性の顔と手を日焼けから守るために工夫した日よけに関するものである。
【背景技術】
【０００２】  従来、多くの女性は、５月頃には真夏とあまり変わらない紫外線が降り注ぐことを知っているが、髪型が崩れるため、帽子をかぶれない場合が多かった。
【特許文献１】
【発明の開示】
【発明が解決しようとする課題】
【０００３】  そのために、次のような問題点があった。
（イ）家や車外に出る場合、日焼けを防ぎたいが帽子をかぶると髪型が潰れてしまう。
（ロ）人ごみや狭い場所では日傘がさせないことが有る。
本発明は以上の問題点を解決しようとするものである。
【課題を解決するための手段】
【０００４】  うちわの芯に黒い布を貼り、かざして日陰を作る。
さらに、持った手も日焼けから守るためのおおいを付け、ゴムを入れて不用の場合は取り外せるようにする。
以上を特徴とする顔と手を日焼けから守る日よけである。
【発明の効果】
【０００５】  本発明は、サイズが小さい割に、直接自分で動かすので効率良く顔の所に影を作ることができ、持った手も焼けない。
また、人ごみでも安全に使用できる。
【発明を実施するための最良の形態】
【０００６】  以下、本発明の実施の形態を説明する。
（イ）丸い柄（２）の黒のうちわ（１）の芯に、黒い和紙を貼り、さらにその上に布（４）を張る。
（ロ）柄（２）の部分にスカート型の黒い布（４）をはかせる。
（ハ）（ロ）の布（４）は移動できるようにゴム（３）を入れる。
本発明は以上のような構造である。
これを使用するときは、うちわを手に持つ。うちわで顔の日焼けを守る。
おおいで、手も日焼けから守ることができる。
【図面の簡単な説明】
【０００７】
【図１】本発明の分解図である。
【図２】本発明の使用状態を示した側面図である。
【図３】本発明の分解図である。
【図４】本発明の使用状態を示す側面図である。
【図５】本発明の分解図である。
【図６】本発明の使用状態を示した側面図である。
【符号の説明】
【０００８】    １  うちわ
２  丸い柄
３  ゴム
４  布
【図１】
2007275516.tif 000003
【図２】
2007275516.tif 000004
【図３】
2007275516.tif 000005
【図４】
2007275516.tif 000006
【図５】
2007275516.tif 000007
【図６】
2007275516.tif 000008
(57)【要約】【課題】本発明は室内で市販の角形ハンガー等を掛けて使用する物干しスタンドである。従来、このタイプの物干しスタンドは支柱が干した洗濯物の外側に位置し、それが邪魔になるという難点があった。そこで、角形ハンガー等を上からかぶせるようにして掛けられ、また掛けた状態でハンガーを回転させることが出来る一本脚の物干しスタンドを提供する。【手段】頭部（１）は自由に回転できるように脚部（２）と接合してあり、その頭部には角形ハンガー等を掛けるフック（３）と、着脱可能なレバー（４）が設けてある。【選択図】図１
2007275514.tif 000002
【特許請求の範囲】
【請求項１】
フック（３）および着脱容易なレバー（４）を設けた頭部（１）が回転可能な一本脚の物干しスタンド
【発明の詳細な説明】
【発明の詳細な説明】
【技術分野】本発明は市販の角形ハンガー等を用いて洗濯物を室内で干す際に、楽に干したり取り込んだりでき、また少ないスペースで設置できる物干しスタンドに関するものである。
【背景技術】従来、角形ハンガー等を掛け、かつそのハンガーを回転させられる物干しスタンドは、ハンガーを掛ける水平の棒とそれを支える垂直の支柱を有しているためその垂直の支柱はハンガーおよびつるした洗濯物の外側に位置していた。
【発明が解決しようとする課題】
このような従来の物干しスタンドは、部屋が十分広い場合は問題ないがそうでない場合には垂直の支柱がハンガーおよび洗濯物の外側に出てしまうため邪魔になりがちである。
本発明は角形ハンガー等をかぶせるように掛けられる一本脚の物干しスタンドでこの問題を解決し、また回転できる頭部（１）を設けてあるので一本脚であるにも関わらず洗濯物を干したり取り込んだりするのは従来のスタンド同様楽にできる。
【課題を解決する手段】
頭部（１）と脚部（２）を、間にベアリング等をはさんで接合し、頭部が容易に回転できるようにする。
頭部（１）には角形ハンガー等を掛けられるようにフック（３）および手で頭部（１）を回転させるのを容易にするためにレバー（４）を設ける。
このレバー（４）は頭部（１）と着脱が容易にすできる。
【発明を実施するための最良の形態】イ  頭部（１）にフック（３）および着脱可能なレバー（４）を設ける。
ロ  頭部（１）と脚部（２）との間にベアリング等を設けて接合する。
本発明は以上の構成よりなる。本発明を使用する場合は、角形ハンガー等を頭部（１）（レバーを外しておく）の上からかぶせるようにしてフック（３）に掛け、後にレバー（４）を着ける。洗濯物を干す際にはレバー（４）を手で回してハンガーのどちらか片側を手前に持ってきて、洗濯物をハンガー手前半分にあるピンチ等につるす。それからレバー（４）を回し、もう一方の片側を手前に持ってきて続けて洗濯物を干す。
洗濯物を取り込む場合も同様にする。
【発明の効果】
室内に設置するに当たり少ないスペースしか要しないため邪魔にならず、またかぶせるように掛けた角形ハンガー等を回転させることが出来るので、洗濯物を干したり取り込んだりする動作が楽にできる。
【図面の簡単な説明】
【図１】本発明の斜視図
【図２】本発明に市販の角形ハンガーを掛けた様子
【符号の説明】
（１）頭部、（２）脚部、（３）フック、（４）レバー、（５）接合部
【図１】
2007275514.tif 000003
【図２】
2007275514.tif 000004
(57)【要約】      （修正有）【課題】椅子に腰掛けたままで、喫煙しても周りに影響を及ぼすことなく、また周りの環境が悪い場合はそのことに影響を受けない椅子を提供する。【解決手段】椅子に次のような構造を設けた。Ａ  清浄した空気を噴出す部分Ｂ及びＣ  喫煙した煙などを吸い込む部分背もたれ部分にフィルター内臓【選択図】図１
2007275520.tif 000002
【特許請求の範囲】
【請求項１】
椅子の背もたれ部分に空気清浄機の機能を備えたもの。
【請求項２】
請求項１に言う清浄機能とは、椅子に腰掛けている状態で喫煙しても、周りに煙やニオイが飛散しないことを意味する。
【請求項３】
請求項１にある空気清浄機とは、オゾン、プラズマ、光触媒、活性炭などの機能を含む清浄機を言う。
【請求項４】
請求項２にある清浄機能とは、喫煙した煙を周りに飛散しないだけでなく、周囲の汚れた空気を清浄して頭部周辺に供給するシステムを含む。
【発明の詳細な説明】
【発明の詳細な説明】
椅子に腰掛けたままで、喫煙しても周りに影響を及ぼすことなく、また周りの環境が悪い場合はそのことに影響を受けない様清浄機システムとの合体をしたものである。
【発明が解決しようとする課題】
本発明は、喫煙者がそうでない人たちの中にいて喫煙しても周りに影響を及ぼさないようにしたり、またその逆の場合や、花粉症などの敏感賞の人がその影響を受けない様にすることを目的とする。
【課題を解決するための手段】
課題を解決するための手段として、図１のような構造を考案した。
Ａ  清浄した空気を噴出す部分
Ｂ  喫煙した煙などを吸い込む部分
背もたれ部分にフィルター内臓
図２は請求項４の周りの空気も清浄して頭部周辺に供給するために考案したものである。
Ａ  清浄した空気を噴出する部分
Ｂ  喫煙した煙などを吸い込む部分
背もたれ部分にフィルター内臓
図３図４はそれぞれの立体想像図である。
【発明の効果】
以上説明したように、この椅子は個人の部分的な環境を周りに影響を与えたり受けにくくする事が出来るもので、特にパチンコホールや、病院，老健などにおいて部分的環境隔離が望まれる場合に適するものである。
【図１】
2007275520.tif 000003
【図２】
2007275520.tif 000004
【図３】
2007275520.tif 000005
【図４】
2007275520.tif 000006
【手続補正書】
【提出日】平成18年10月2日(2006.10.2)
【手続補正２】
【補正対象書類名】明細書
【補正対象項目名】全文
【補正方法】変更
【補正の内容】
【発明の詳細な説明】
【技術分野】
【０００１】  椅子の背もたれ若しくは座る部分に空気清浄機の機能を備える事で椅子周辺の空気を独立した形で浄化する事が出来る。【０００２】  取り付けられたフィルターは活性炭や光触媒など消臭効果の期待できるもので、取り外し可能なものとする。【０００３】  空気取り入れ口は顔周辺と肘掛付近にすることで、喫煙時の煙を周りに飛散させないようにする。【０００４】  清浄した空気は頭上も若くわ顔周辺に出るようにすることで周辺からの嫌なニオイなどを避ける事が出来る。【０００５】  〔０００３〕と〔０００４〕を総合して椅子周辺の空気清浄を期待できる。
【図面の簡単な説明】
【０００６】
【図１】この図は椅子側面から見たもので、Ｂ及びＣ部分から吸気し内蔵されたフィルターで浄化した空気をＡ部分にて排気する。  図１の立体図は〔図３〕にて表記。
【０００７】
【図２】この図は図１のものにヘッドカバーを付けた物の側面図で、Ｂ及びＣから吸気し内蔵されたフィルターで浄化した空気をＡ部分にて排気する。  図２の立体図は〔図４〕にて表記。
【０００８】
【図３】この図は図１の立体図であり、Ｂ及びＣから吸気し内蔵されたフィルターで浄化した空気をＡ部分で排気する。
【０００９】
【図４】この図筈２の立体図であり、Ｂ及びＣから吸気し内蔵されたフィルターで浄化した空気をＡ部分で排気する。
【符号の説明】
【００１０】  全ての図に共通し、Ａは排気口を指しＢＣは吸気口を指す。
【手続補正４】
【補正対象書類名】図面
【補正対象項目名】全図
【補正方法】変更
【補正の内容】
【図１】
2007275520.tif 000007
【図２】
2007275520.tif 000008
【図３】
2007275520.tif 000009
【図４】
2007275520.tif 000010
(57)【要約】【課題】点眼の使用時に、自動的に目と目薬容器の間に距離をつくり、安定しながら正確に点眼できる点眼補助具を提供する。【解決手段】略長形の平板本体の中心に穴を設け、穴の両端に折り曲げ部を設け、山状に折り、穴に目薬容器の先端を差し込み、本体の両端面を目の上下に当てることにより、目と薬との間に距離をつくり、安定しながら点眼できることを特徴とする点眼補助具。【選択図】図１
2007275539.tif 000002
【特許請求の範囲】
【請求項１】
略長方形の平板本体の中心の穴を設け、穴の両端に折り曲げ部を設け、山状に折り、穴に目薬容器の先端を差し込み、本体の両端面を目の上下に当てることにより、目と薬との間に距離をつくり、安定しながら点眼できることを特徴とする点眼助具。
【発明の詳細な説明】
【技術分野】
【０００１】  本発明は、点眼の使用時に、自動的に目と目薬容器の間に距離間をつくり、安定しながら正確に点眼できる点眼補助具に関するものである。
【背景技術】
【０００２】  従来、点眼する時には、目薬容器を手に持ちながら点眼するため、安定せず、目薬が目以外に零れ落ちてしまうことが多くある。また、手による点眼は、目と薬との距離間もつかみずらいため、点眼するタイミングがはかりづらい。
【発明の開示】
【発明が解決しょうとする課題】
【０００３】  そのため次のような問題点があった。
手による点眼は、安定しないため、薬が目以外に零れ落ちてしまい薬がムダになっていた。また目と薬との間の距離間もつかみずらいため、点眼する時にはいつも不安感や恐怖感があった。
本発明は、これらの間題点を解決しょうとするものである。
【課題を解決するための手段】
【０００４】  略長方形の平板本体の中心の穴を設け、穴の両端に折り曲げ部を設ける。次に折り曲げ部にそって山状に本体を折り曲げ、穴に目薬容器の先端部を差し込み、本体の両端面を目の上下に当て固定させることにより目と薬との間に距離をつくり、安定しながら点眼できる。以上を持徴とする点眼補助具である。
【発明の効果】
【０００５】  本発明は、点眼時に、距離とタイミングがはかれ、安定しながら点眼できる。したがって、手による点眼時の不安定感と目と薬との距離間がはかりずらいためにおこる不安感や恐怖感をなくす。
【発明を実施するための最良の形態】
【０００６】（イ）略長方形の平板からなる本体（１）の両端を末広がりに形成する。
（ロ）本体（１）の両端面（４）は中央を内側にゆるやかに湾曲させて凹状にする。
（ハ）本体（１）の中央に目薬容器の先端部を差し込むための穴（２）を設ける。
（ニ）穴（２）の両端に折り曲げ部（３）を設け、本体（１）折り曲げたとき中央を天頂部（５）とし、天頂部（５）の両側に橋脚部（６）が形成される。
本発明は、以上の構成よりなっている。
本発明を使用するときは、上記の本体（１）を山状に折り曲げ、両端面（４）を目の上下に固定させ、目薬容器の先端部を穴（２）に差し込み点眼する。
また、橋脚部（６）に点線部（７）などの印を設け、点線部（７）を自由にカットできるようにすることで個人の好みに合わせた角度や距離にすることができる。また、はじめから橋脚部（６）の長差を調整しておくことで個人に合わせた点眼補助具にすることができる。
【実施例１】
【０００７】  図３に示すように、略長方形の平板からなる本体（１）の両端をしりすぼまりに形成しても図１と同じ効果がえられる。
【図面の簡単な説明】
【０００８】
【図１】本発明の斜視図
【図２】本発明の使用状態を示す斜視図
【図３】本発明の他の実施例を示す斜視図
【符号の説明】
【０００９】１  本体
２  穴
３  折り曲げ部
４  端面
５  天頂部
６  橋脚部
７  点線部
【図１】
2007275539.tif 000003
【図２】
2007275539.tif 000004
【図３】
2007275539.tif 000005
(57)【要約】      （修正有）【課題】飲料水をより楽しく、よりおいしく、より冷たく飲む事。【解決手段】カップ全体の各部分のデザインを一体化し、飲料水の残量に関係なく、その姿を保ち、更に一部に動きを設けて、より楽しくし、内部に保冷材を充填した浮球を浮かしておき、長時間飲料水の濃度が薄くなることなく、より冷たく飲む事が出来る。【選択図】図１
2007275540.tif 000002
【特許請求の範囲】
【請求項１】
フリーカップの外周に、一定の花姿をデザインし、内面に、その花ビラを、上部より下部にわたって彫刻し、飲料水の量にかゝわらず、花ビラが浮き出て、フリーカップ全体が、一定の花の一体化に見える。
【請求項２】
飲料水面に自立する浮玉を浮かし、その上面に、一定の花ビラをデザインし、花ビラが、カップの水面に浮遊している状態になり楽しい雰囲気が得られる。
【請求項３】
浮玉の内部に、保冷材を一定量充填し、上部に浮力をもたせる為と、浮玉を自立させる為に、溌泡スチロールを定置させる。
この浮玉を、冷凍し、冷飲料水を供する時に、浮しておくと、長時間、飲料水の濃度が薄くなることなく冷度が保てる。尚浮玉の底面を円形波状にし、冷材の膨張、収縮に耐応出来る様にする。
【発明の詳細な説明】
【技術分野】
【０００１】本発明は、フリーカップに関し、より楽しく、より冷なく飲料水を飲むために関する。
【背景技術】
【０００２】一般のフリーカップには、各種形状、デザインのものがあるが、楽しいものはなく、又、冷飲料水を飲む場
2007275540.tif 000003
し、飲料水の濃度が薄くなりまづくなる。
【発明の開示】
【発明が解決しようとする課題】
【０００３】一般のフリーカップでは楽しみもなく、冷飲料水に氷を入れる事により、氷が溶けて味が悪くなり、時間をかけて飲む事が出来ない。これを解決することにある。
【課題を解決するための手段】
【０００４】本発明のフリーカップの外部に、好みの花のデザインをする。【０００５】本発明のフリーカップの外部の花姿の花ビラをカップの内部の上下全体に彫刻する。【０００６】浮玉の上面に、花ビラをデザインし、飲料水面に浮遊させ、カップ全体を、一体化させ、更に花ビラの浮遊により楽しみも、もたせる。【０００７】浮玉に保冷材を一定量充填し、浮玉の上部に浮力をもたせる為と、浮玉の自立を保たせる為、溌泡スチロール粒子を定置する。【０００８】浮玉内の保冷材は、温度により、収縮膨張するので、その体積の変化により浮玉容器が破損しない様に、浮玉の底面を円形波状にし、波形が収縮膨張に耐応して変形する様になっている。【０００９】浮玉の材料は、熱伝導率が良い金属が良い。【００１０】浮玉に充填する冷材は、浮力用の、スチロール粒子の移動を防ぐ為と、浮玉が破損した場合、流出しない為にゼリー状にする。
【発明の効果】
【００１１】カップ全体のデザインが一体化しており、飲料水の残量に関係なく、その姿を保ち、しかも花ビラが浮遊し楽
2007275540.tif 000004
飲むことが出来る。
又、内部形状を用いて、花型のゼリー等を造る事も出来る。
【発明を実施する為の最良の形態】
【００１２】以下図面に基いて本発明の実施の形態について説明する。
図１はフリーカップに飲料水を注ぎ、浮玉を浮かせた平面図、図２は花姿が画かれたフリーカップの側面図、図３は花ビラが画かれた浮玉の平面図、図４は浮玉に、溌泡スチロール及保冷材を詰めた断面図、図５は浮玉の底面の図である。
【００１３】フリーカップ１の外周に、一定の花（さくら）を画き、内側に一定の花（さくら）２が、あたかも咲いている見える様に、上部から下部にわたって彫刻してある。その為、飲料水を注いだり、飲んだりすると、花ビラが、上下し、大きく見えたり小さく見えたりする。
【００１４】水面に、さくらが画かれた浮玉４が浮いており、花ビラが、ゆれている様に見える。
【００１５】図４に示す如く浮玉は、本体８の下部に保冷用のゼリー状の保冷材１０が充填され、浮玉の浮力と、浮玉を自立させる為、発泡スチロール９が詰めてある。
蓋７をかぶせ接着１２する。
【００１６】保冷浮玉は、使用する場合、前もって、冷凍庫（−１８℃）に入れておく。この場合保冷材は低温により膨張する。
この膨張により容器を破損させる恐れがある。この現象を防止する為、浮玉の底面に、円形の波状１１の凸凹を
2007275540.tif 000005
【産業上の利用可能性】
【００１７】動きを持ったデザインが、楽しくし又長時間にわたって冷たいものは、いつまでも冷たくおいしくいただける。
【図面の簡単な説明】
【００１８】
【図１】フリーカップ上面図
【図２】フリーカップ側面図
【図３】浮玉上面図
【図４】浮玉側面断面図
【図５】浮玉底面図
【図１】
2007275540.tif 000006
【図２】
2007275540.tif 000007
【図３】
2007275540.tif 000008
【図４】
2007275540.tif 000009
【図５】
2007275540.tif 000010
(57)【要約】【課題】特に最近の公衆トイレにおいて、用をたす際に、人の肌が直接触れる例えば便座のような場所については、他人が使用した後、別の人が使用する際の衛生面を考慮して、置きシートや拭き取りシートのような商品が開発されているが、特に便器そのものに、大便が付着してしまうことを防止するような商品は開発されていない。【解決手段】本発明では、このような問題を解決するために、便器そのものに大便が付着するのを防止するための汚染防止用保護シートを提供する。【選択図】図２
2007275532.tif 000002
【特許請求の範囲】
【請求項１】
トイレ用の便器に使用され、和式の場合は和式の便器の形に合わせて形成され、洋式の場合は洋式の便器の形に合わせて形成され、水分を含んでもしばらくの間は強度を保つことができるが、トイレに流された後は水分に溶解して便器に詰まることがないことを特徴とした、便器への大便の付着を防止することを目的とした便器汚染防止シート。
【請求項２】
請求項１に記載の便器汚染防止シートにおいて、和式用の場合は、汚染防止シートが、内部用と周囲用の２つに分かれていることを特徴とする便器汚染防止シート。
【発明の詳細な説明】
【技術分野】
【０００１】本発明は、トイレで使用される便器の汚染（大便の付着）を防止するための保護シートに関する。
【背景技術】
【０００２】最近の、特に公衆のトイレでは、洋式の便器などで、おしりが直接便座にふれないように便座の上に衛生用のシートを置いて使用したり、少しアルコールを含んだウェットティッシュ状のシートで、おしりが触れる便座面を拭いてから使用する等の衛生的な商品が開発されている。【０００３】これらの商品は、使用したあとそのまま便器に流すと、水分に溶解し、便器を詰まらせることもなく、使用した後の処置も大変容易である。
【発明の開示】
【発明が解決しようとする課題】
【０００４】このように、最近の公衆トイレでは、用をたす際に人が直接触れるような場所については、他人が使用した後、別の人が使用する際の衛生面を考慮した商品が開発されているが、特に便器そのものに、大便が付着してしまうことを防止するような商品は開発されていない。【０００５】特に、公衆トイレなどで、便器に他人の大便が付着しているのをみると、気分が悪くなり、その便器を使用する気持ちさえ失せてしまうものである。【０００６】また、そこに蝿などがとまったりすることを考えると、人の肌が直接触れる場所以外の場所も、なるべく清潔に保っておきたいものである。
【課題を解決するための手段】
【０００７】本発明では、このような問題を解決するために、便座ではなく、便器そのものに使用する汚染（大便の付着）防止用の保護シートを提供する。【０００８】汚染防止用の保護シートは、水分を含んでもしばらくの間は強度を保つことができるが、トイレに流された後は水分に溶解する特性を持ち、洋式の便器用であれば、洋式の便器内の大便が付着しそうな面全体をカバーした形状に成形されている。【０００９】また、和式の便器用であれば、通常使用時に大便がたい積される場所（内部）全体をカバーする汚染防止シートと、便器の周囲で、通常なら大便が付着しにくい場所ではあるけれど、誤って大便が付着する可能性がある場所（周囲部分）をカバーするための２種類のシートからなる。
【発明の効果】
【００１０】このように、便座だけでなく、便器そのものに使用する汚染（大便の付着）防止用の保護シートを使用すれば、特に公衆トイレで、誰もがこれまで以上に清潔に、気持ちよく便器を使用することができるようになる。
【発明を実施するための最良の形態】
【００１１】本発明の洋式便器用汚染防止シートの実施形態例を図１に示す。図１からわかるように、本発明の洋式用便器汚染シート４は、便器内部全体をカバーし、多少大便が飛び散ったとしても、便器への便の付着を防止することができる。【００１２】本発明の和式便器用汚染防止シートの実施形態例を図２に示す。図２からわかるように、和式便器用の汚染防止シートは、周囲用のシート６と内部用のシート７の２つに分かれている。【００１３】通常使用する場合には、内部用のシート７が内部全体をカバーしているため、多少大便が飛び散ったとしても、便器への大便の付着を防止することができ、また、誤って、便器の周囲に大便が付着しそうになっても、周囲用のシート６でカバーされているため、直接便器に大便が付着することはない。【００１４】図１、図２いずれの場合も、便器用汚染防止シートは、多少水分を含んでもしばらくの間は強度を保つことができるが、トイレに流された後は水分に溶解し、便器に詰まることがないことを特徴としており、使用後はトイレに流せばよいだけであり、大変容易に使用することができる。
【図面の簡単な説明】
【図１】洋式便器用汚染防止シートの実施形態例の構造図
【図２】和式便器用汚染防止シートの実施形態例の構造図
【符号の説明】
１・・・洋式便器
２・・・便座カバー
３・・・便座
４・・・洋式用便器汚染防止シート
５・・・和式便器
６・・・和式用便器汚染防止シート（周囲用）
７・・・和式用便器汚染防止シート（内部用）
【図１】
2007275532.tif 000003
【図２】
2007275532.tif 000004
(57)【要約】      （修正有）【課題】  台所の調理用ミトンに関し、使い勝手を増し、なおかつ外観の美しさも備えた立体式擬態型調理ミトンを提供する。【解決手段】  円筒状の本体の下部に指の入る部分を左右対称の二股の形状に設け、卓上に立つようにすることで使い勝手をよくし、かつその全体の形状を利用して人や動物等の形を模し美観を向上させた立体式擬態型調理ミトン。【選択図】図５
2007275538.tif 000002
【特許請求の範囲】
【請求項１】
円筒状の本体の下部に指の入る部分を左右対称の二股の形状に設け、卓上に立つようにすることで使い勝手を良くし、かつその全体の形状を利用して動物等の形を模して美観を向上させた立体式擬態型調理ミトンである。
【発明の詳細な説明】
【技術分野】
【０００１】  本発明は台所の調理用ミトンを使いやすくし、かつ外観の美しさも備えた立体式擬態型調理ミトンに関するものである。
【背景技術】
【０００２】  従来、調理用ミトンの形状は、親指を入れる部分と他の四本指を入れる部分とからなる扁平な形の物がほとんどであるため、片方の手でミトンを取り、もう片方の手にはめるという過程が必要であった。
【発明の開示】
【発明が解決しようとする課題】
【０００３】  そのために次のような問題点があった。
例えば右手にミトンをはめる時は、左手でミトンを持ち右手にはめ、左手にはめる時は、右手にミトンを持ち左手にはめるという動作が必要であり、めんどうで、作業効率もわるかった。
また、美観的にも模様などがあるのみで乏しいものであった。
本発明は、以上の問題点を解決するためになされたものである。
【課題を解決するための手段】
【０００４】  円筒状の本体の下部に指の入る部分を二股の形状にかつ、左右対称に設け、卓上に立つようにすることで使い勝手をよくし、なおかつその全体の形状を利用して動物等の形を模し、美観を向上させた立体式擬態型調理ミトンである。
【発明の効果】
【０００５】  自立している円筒状の本体の開口部に上から手をいれれば即使用可能状態となり、作業効率が向上する。
なおかつ動物等のデザインで台所が明るくなり、調理も楽しくなる。
【発明を実施するための最良の形態】
【０００６】  以下、本発明の実施の形態を説明する。
（イ）厚手の素材で出来た円筒状の本体（１）の大きさは直径が約１０センチ、高さは約１５〜２０センチである。
（ロ）その本体（１）の下部を左右対称に二股の形状にし、その二股の部分（２）の内側に他の厚手の素材を縫い合わせる。
二股の部分（２）の高さは約７センチである。
（ハ）二股の部分（２）の端部（３）は直線状になっている。左右二つの端部が、卓上面に接することで本体を自立させることが出来る。
（ニ）円筒状の本体（１）の開口部（４）から手を入れると、この二股の部分（２）の片方が親指を入れる部分、もう片方が他の四本指を入れる部分となる。
（ホ）本体（１）の二股の部分より上の部分（５）を胴体と見立て、二股の部分（２）を足と見立て、開口部の淵に顔の部品（６）を、本体に半分ほど掛かるように取り付ければ、全体を人や動物の形に模することが出来る。
必要に応じて別の布やフェルト等でかたどった衣服や手足、装飾品などの部品を取り付けることで、さらに美観を向上させる事ができる。
本発明は以上のの構造よりなっている。
本発明を使用するときは、すでに自立している本体（１）の開口部（４）から手を入れれば即、使用可能状態となり、もう片方の手を用いて装着の補助をする必要が無く、使い勝手が良い。
また、便利なだけではなく、全体を人や動物等、様々な物の形に模すことにより、道具としての機能の他に、美的対象としての機能も兼ね備えることができ、見て楽しく、使っても便利な道具とすることができる。
本発明品を、人や動物の形を模さずに、ミトンとしての機能だけをもって作っても有効である。
本発明品を台所の洗い物スポンジに応用する事もできる。
本発明品を入浴用ボディーミトンに応用する事もできる。
【図面の簡単な説明】
【０００７】
【図１】本発明の斜視図
【図２】本発明の正面図
【図３】本発明の使用状態を示す斜視図
【図４】本発明の使用状態を示す斜視図
【図５】本発明の使用状態を示す斜視図
【図６】本発明の使用状態を示す斜視図
【図７】本発明の斜視図
【図８】本発明の斜視図
【図９】本発明の斜視図
【図１０】本発明の斜視図
【図１１】本発明の斜視図
【図１２】本発明の正面図
【符号の説明】
【０００８】１  本体
２  二股の部分
３  端部
４  開口部
５  二股より上の部分
６  顔の部品
【図１】
2007275538.tif 000003
【図２】
2007275538.tif 000004
【図３】
2007275538.tif 000005
【図４】
2007275538.tif 000006
【図５】
2007275538.tif 000007
【図６】
2007275538.tif 000008
【図７】
2007275538.tif 000009
【図８】
2007275538.tif 000010
【図９】
2007275538.tif 000011
【図１０】
2007275538.tif 000012
【図１１】
2007275538.tif 000013
【図１２】
2007275538.tif 000014